(57)【要約】【課題】落下させてしまった場合にも容易に拾うことが可能な錠装置を提供すること。【解決手段】キーヘッド１１と差込部１２とを備えた鍵１０と、キーヘッド１１を覆うキーヘッドカバー２０とを備えた錠装置であって、キーヘッドカバー２０は、指の挿入を許容する貫通孔２４が形成され、かつ任意の平滑面Ｇに載置された場合に平滑面Ｇと貫通孔２４の形成部位との間に指の進入を許容する間隙Ｓを形成するよう構成したものであり、先端部２１１に鍵１０のキーヘッド１１を収納し、かつ基端部２１２に貫通孔２４が形成されたケース本体２１と、ケース本体２１の表面及び裏面に形成され、かつ頂部２５ａが装置全体の重心よりも基端部２１２側に位置する突出部２５とを備えることが好ましい。【選択図】図１
2015067999.tif 000002
【特許請求の範囲】
【請求項１】
キーヘッドと差込部とを備えた鍵と、
前記キーヘッドを覆うキーヘッドカバーと
を備えた錠装置であって、
前記キーヘッドカバーは、指の挿入を許容する孔部が形成され、かつ任意の平滑面に載置された場合に前記平滑面と前記孔部の形成部位との間に指の進入を許容する間隙を形成するよう構成したことを特徴とする錠装置。
【請求項２】
前記孔部は、最小幅が１５ｍｍ以上であることを特徴とする請求項１に記載の錠装置。
【請求項３】
前記平滑面と前記孔部の形成部位との離間距離が１５ｍｍ以上であることを特徴とする請求項１又は請求項２に記載の錠装置。
【請求項４】
前記キーヘッドカバーは、
先端部に前記キーヘッドを収納し、かつ基端部に前記孔部が形成されたケース本体と、
前記ケース本体の表面及び裏面に形成され、かつ頂部が装置全体の重心よりも該ケース本体の基端部側に位置する突出部と
を備えたことを特徴とする請求項１〜３のいずれか一つに記載の錠装置。
【請求項５】
前記突出部は、略半球状の形態を成していることを特徴とする請求項４に記載の錠装置。
【請求項６】
前記突出部は、前記ケース本体の先端部から基端部に向かうに連れて該ケース本体の表面若しくは裏面から漸次離隔するよう傾斜する傾斜面を有して成ることを特徴とする請求項４に記載の錠装置。
【請求項７】
前記キーヘッドカバーは、先端部に前記キーヘッドを収納し、かつ基端部に前記孔部が形成されたケース本体を備え、
前記ケース本体は、装置全体の重心よりも該ケース本体の基端側となる中央領域において表面側、あるいは裏面側に屈曲して成ることを特徴とする請求項１〜３のいずれか一つに記載の錠装置。
【請求項８】
前記ケース本体は、前記鍵が回動自在となるよう前記キーヘッドを収納することを特徴とする請求項４〜７のいずれか一つに記載の錠装置。
【発明の詳細な説明】
【技術分野】
【０００１】
本発明は、錠装置に関し、より詳細には、キーヘッド及び差込部を備えた鍵と、キーヘッドを覆うキーヘッドカバーとを備えた錠装置に関するものである。
【背景技術】
【０００２】
従来、例えば特許文献１に提案された錠装置が知られている。この錠装置は、鍵とキーヘッドカバーとを備えて構成されている。鍵は、キーヘッドと差込部とを有している。キーヘッドは、該鍵を挟持するための平板状部位である。差込部は、キーヘッドの縁端部より外方に向けて延在する長尺状部位であり、キー山が形成されるものである。
【０００３】
キーヘッドカバーは、差込部が露出するようキーヘッドを収納するものである。このキーヘッドカバーは、鍵が回動自在となるようキーヘッドを一端部に収納している。かかるキーヘッドカバーには、中央領域から他端部に向けて複数本の手指の挿入を許容する湾曲形状の長孔部が形成されている。
【０００４】
このような錠装置では、鍵のキーヘッドを挟持することがやや困難な高齢者や身障者等が複数本の手指を長孔部に挿入させることで鍵を持つことができるようにし、差込部を所定の鍵穴に進入させて該鍵の回転操作を行えるようにしている。
【先行技術文献】
【特許文献】
【０００５】
【特許文献１】特開平１０−１５３０２１号公報
【発明の概要】
【発明が解決しようとする課題】
【０００６】
ところが、上述した特許文献１に提案されている錠装置を地面等に落下させてしまってキーヘッドカバーの長孔部の一方の開口が地面に閉塞された状態で載置された場合、上記高齢者等にとっては該長孔部に手指を挿入させて錠装置を持つことが困難である。このことは、手足の不自由な身障者にとってはより顕著である。
【０００７】
本発明は、上記実情に鑑みて、落下させてしまった場合にも容易に拾うことが可能な錠装置を提供することを目的とする。
【課題を解決するための手段】
【０００８】
上記目的を達成するために、本発明に係る錠装置は、キーヘッドと差込部とを備えた鍵と、前記キーヘッドを覆うキーヘッドカバーとを備えた錠装置であって、前記キーヘッドカバーは、指の挿入を許容する孔部が形成され、かつ任意の平滑面に載置された場合に前記平滑面と前記孔部の形成部位との間に指の進入を許容する間隙を形成するよう構成したことを特徴とする。
【０００９】
この発明によれば、キーヘッドカバーは、指の挿入を許容する孔部が形成され、かつ任意の平滑面に載置された場合に該平滑面と孔部の形成部位との間に指の進入を許容する間隙を形成するよう構成してあるので、例えば地面等の平滑面に落下させてしまった場合、孔部の形成部位を平滑面から離隔した状態で載置させることができる。これにより、手足の不自由な身障者等にとっても、自身の指を上記間隙に進入させた後に上記孔部に挿入させることで該錠装置を持つことが可能になる。
【００１０】
また本発明は、上記錠装置において、前記孔部は、最小幅が１５ｍｍ以上であることを特徴とする。
【００１１】
この発明によれば、孔部の最小幅が１５ｍｍ以上であるので、手足の不自由な身障者等は、指を孔部に確実に挿入させることができる。
【００１２】
また本発明は、上記錠装置において、前記平滑面と前記孔部の形成部位との離間距離が１５ｍｍ以上であることを特徴とする。
【００１３】
この発明によれば、任意の平滑面に載置された場合に、平滑面と孔部の形成部位との離間距離が１５ｍｍ以上であるので、手足の不自由な身障者等は、錠装置を落下させてしまった場合にも指を孔部に確実に挿入させることができる。
【００１４】
また本発明は、上記錠装置において、前記キーヘッドカバーは、先端部に前記キーヘッドを収納し、かつ基端部に前記孔部が形成されたケース本体と、前記ケース本体の表面及び裏面に形成され、かつ頂部が装置全体の重心よりも該ケース本体の基端部側に位置する突出部とを備えたことを特徴とする。
【００１５】
この発明によれば、キーヘッドカバーの突出部の頂部が装置全体の重心よりもケース本体の基端部側に位置するよう形成してあるので、錠装置を例えば地面等の平滑面に落下させてしまった場合、孔部の形成部位であるケース本体の基端部を平滑面から離隔した状態で載置させることができる。
【００１６】
また本発明は、上記錠装置において、前記突出部は、略半球状の形態を成していることを特徴とする。
【００１７】
この発明によれば、キーヘッドカバーの略半球状の突出部が、頂部が装置全体の重心よりもケース本体の基端部側に位置するよう形成してあるので、錠装置を例えば地面等の平滑面に落下させてしまった場合、孔部の形成部位であるケース本体の基端部を平滑面から離隔した状態で載置させることができる。
【００１８】
また本発明は、上記錠装置において、前記突出部は、前記ケース本体の先端部から基端部に向かうに連れて該ケース本体の表面若しくは裏面から漸次離隔するよう傾斜する傾斜面を有して成ることを特徴とする。
【００１９】
この発明によれば、キーヘッドカバーの突出部は、頂部が装置全体の重心よりもケース本体の基端部側に位置するよう形成してあり、かつケース本体の先端部から基端部に向かうに連れて該ケース本体の表面若しくは裏面から漸次離隔するよう傾斜する傾斜面を有しているので、錠装置を例えば地面等の平滑面に落下させてしまった場合、孔部の形成部位であるケース本体の基端部を平滑面から離隔した状態で載置させることができる。
【００２０】
また本発明は、上記錠装置において、前記キーヘッドカバーは、先端部に前記キーヘッドを収納し、かつ基端部に前記孔部が形成されたケース本体を備え、前記ケース本体は、装置全体の重心よりも該ケース本体の基端側となる中央領域において表面側、あるいは裏面側に屈曲して成ることを特徴とする。
【００２１】
この発明によれば、キーヘッドカバーのケース本体は、装置全体の重心よりも該ケース本体の基端部側となる中央領域において表面側若しくは裏面側に屈曲して形成してあるので、錠装置を例えば地面等の平滑面に落下させてしまった場合、孔部の形成部位であるケース本体の基端部を平滑面から離隔した状態で載置させることができる。
【００２２】
また本発明は、上記錠装置において、前記ケース本体は、前記鍵が回動自在となるよう前記キーヘッドを収納することを特徴とする。
【００２３】
この発明によれば、ケース本体は鍵が回動自在となるようキーヘッドを収納しているので、錠装置を挟持することなく孔部に手指等を挿入させて指先に引っ掛けた状態で対象となる錠装置の施解錠動作を行うことができ、手足の不自由な身障者や高齢者等の特定の利用者だけでなく、全ての利用者にとって施解錠動作を簡単なものとすることができる。
【発明の効果】
【００２４】
本発明によれば、落下させてしまった場合にも容易に拾うことが可能なであるという効果を奏する。
【図面の簡単な説明】
【００２５】
【図１】図１は、本発明の実施の形態１である錠装置を示す正面図である。
【図２】図２は、本発明の実施の形態１である錠装置を右から見た場合を示す右側面図である。
【図３】図３は、図１及び図２に示した錠装置を地面等の平滑面に載置された場合を示す説明図である。
【図４】図４は、図１〜図３に示した錠装置を用いて対象となる錠装置の施解錠動作を行う手順を示す説明図である。
【図５】図５は、図１〜図３に示した錠装置を用いて対象となる錠装置の施解錠動作を行う手順を示す説明図である。
【図６】図６は、図１〜図３に示した錠装置を用いて対象となる錠装置の施解錠動作を行う手順を示す説明図である。
【図７】図７は、本発明の実施の形態２である錠装置を示す正面図である。
【図８】図８は、本発明の実施の形態２である錠装置を右から見た場合を示す右側面図である。
【図９】図９は、図７及び図８に示した錠装置を地面等の平滑面に載置された場合を示す説明図である。
【図１０】図１０は、本発明の実施の形態３である錠装置を示す正面図である。
【図１１】図１１は、本発明の実施の形態３である錠装置を右から見た場合を示す右側面図である。
【図１２】図１２は、図１０及び図１１に示した錠装置を地面等の平滑面に載置された場合を示す説明図である。
【発明を実施するための形態】
【００２６】
以下に添付図面を参照して、本発明に係る錠装置の好適な実施の形態について詳細に説明する。
【００２７】
＜実施の形態１＞
図１及び図２は、それぞれ本発明の実施の形態１である錠装置を示すもので、図１は正面図、図２は錠装置を右から見た場合を示す右側面図である。ここで例示する錠装置は、鍵１０とキーヘッドカバー２０とを備えて構成してある。
【００２８】
鍵１０は、例えば金属材料から形成されるもので、キーヘッド１１と差込部１２とを有している。キーヘッド１１は、略円形状を成す平板状部材であり、鍵１０を挟持するためのものである。
【００２９】
差込部１２は、キーヘッド１１の縁端部より外方に向けて延在する長尺平板状部位であり、キー山が形成されるものである。ここで差込部１２に形成されるキー山は、図には明示していないが、差込部１２の左右両側端部に形成される凹凸により形成されるものであってもよいし、差込部１２の表面及び裏面に形成される窪みにより形成されるものであってもよい。
【００３０】
キーヘッドカバー２０は、例えば樹脂材料から形成されるもので、ケース本体２１と、突出部２５とを備えて構成してある。
【００３１】
ケース本体２１は、第１板材２１ａと第２板材２１ｂとを互いの間に収納空間を画成するよう表裏一体に接合させることで構成した略平板状の形態を成すものである。ここで第１板材２１ａ及び第２板材２１ｂは、ともに角部が湾曲した矩形状の形態を成すものである。
【００３２】
このようなケース本体２１は、先端部２１１に鍵１０を収納している。より詳細に説明すると、ケース本体２１の先端面の略中央から右端面の先端側にかけて開口２２が形成してあり、かかる開口２２を通じて差込部１２を外部に露出させるよう先端部２１１に鍵１０のキーヘッド１１を収納している。この際、第１板材２１ａ及び第２板材２１ｂのいずれか一方に形成された突部２３がキーヘッド１１に形成された挿通孔１１ａを挿通している。これにより鍵１０は、差込部１２の左側端部がケース本体２１の先端面の開口縁部２２ａに当接するまでと、差込部１２の右側縁部がケース本体２１の右端面の開口縁部２２ｂに当接するまでとの間で回動自在となっている。つまり、ケース本体２１は、鍵１０が回動自在となるようキーヘッド１１を収納している。
【００３３】
また、かかるケース本体２１の基端部２１２には、貫通孔（孔部）２４が形成してある。かかる貫通孔２４は、ケース本体２１の収納空間に連通しないで形成してあり、手指等に代表される指の挿入を許容する径を有している。ここで貫通孔２４の径は、最小幅が１５ｍｍ以上となることが指の挿入を確実に行い得る観点から好ましく、より好ましくは２０ｍｍ程度とされている。
【００３４】
突出部２５は、ケース本体２１の正面（第１板材２１ａの表面）及び裏面（第２板材２１ｂの表面）にそれぞれ形成してある。これら突出部２５は、ケース本体２１の正面及び裏面において、先端部２１１から中央部２１３に至る領域に形成してあり、それぞれが略半球状の形態を成している。これら突出部２５は、その頂部２５ａが装置全体の重心よりもケース本体２１の基端部２１２側に位置するよう形成してある。尚、本実施の形態の場合、鍵１０が金属材料から構成され、かつケース本体２１が樹脂材料から構成されており、しかもケース本体２１の全長がそれほど大きくないので、装置全体の重心は鍵１０の重心に略一致している。また、突出部２５の突出高さは、後述するように、錠装置が地面等の平滑な面に載置された場合に、該平滑面（載置面）Ｇ（図３参照）と、貫通孔２４の形成部位である基端部２１２との間に指の進入を許容する間隙（例えば１５ｍｍ以上の間隙）Ｓを形成するのに十分な大きさを有している。
【００３５】
以上説明したような構成を有する錠装置は、キーヘッドカバー２０の突出部２５が、頂部２５ａが装置全体の重心よりもケース本体２１の基端部２１２側に位置するよう形成してあるので、例えば地面等の平滑面Ｇに落下させてしまった場合、図３に示すように、貫通孔２４の形成部位であるケース本体２１の基端部２１２を平滑面Ｇから離隔した状態で載置させることができる。しかも、該突出部２５の突出高さは、上述したような大きさを有しているので、上記錠装置は、該基端部２１２と平滑面Ｇとの間に指の進入を許容する間隙Ｓを形成することができる。
【００３６】
これにより、手足の不自由な身障者等にとっても、自身の指を上記間隙Ｓに進入させた後に上記貫通孔２４に挿入させることで該錠装置を持つことが可能になる。つまり、上記錠装置は、指で錠装置を掴んで拾うという動作から、指を貫通孔２４に挿入させて指先を掛けることで錠装置を拾うという動作にしたものであり、これにより、落下させてしまった場合にも容易に拾うことができる。
【００３７】
そして、本実施の形態である錠装置は、ケース本体２１が、鍵１０が回動自在となるようキーヘッド１１を収納しているので、次のようにして対象となる錠装置１の施解錠動作を行うことができる。
【００３８】
図４に示すように、貫通孔２４に手指を挿入して保持する錠装置の鍵１０の差込部１２を錠装置１の鍵穴（図示せず）に差し込み、図５に示すように、鍵１０に対してケース本体２１（キーヘッドカバー２０）を相対的に回動させる。その後、図６に示すように、ケース本体２１（キーヘッドカバー２０）を時計回りの方向に回動させることで上記錠装置１を施錠、あるいは解錠することができる。
【００３９】
このように錠装置のケース本体２１が、鍵１０が回動自在となるようキーヘッド１１を収納していることで、錠装置を挟持することなく貫通孔２４に手指を挿入させて指先に引っ掛けた状態で錠装置１の施解錠動作を行うことができ、手足の不自由な身障者や高齢者等の特定の利用者だけでなく、全ての利用者にとって施解錠動作を簡単なものとすることができる。
【００４０】
＜実施の形態２＞
図７及び図８は、それぞれ本発明の実施の形態２である錠装置を示すもので、図７は正面図、図８は錠装置を右から見た場合を示す右側面図である。ここで例示する錠装置は、鍵１０とキーヘッドカバー３０とを備えて構成してある。
【００４１】
鍵１０は、例えば金属材料から形成されるもので、キーヘッド１１と差込部１２とを有している。キーヘッド１１は、略円形状を成す平板状部材であり、鍵１０を挟持するためのものである。
【００４２】
差込部１２は、キーヘッド１１の縁端部より外方に向けて延在する長尺平板状部位であり、キー山が形成されるものである。ここで差込部１２に形成されるキー山は、図には明示していないが、差込部１２の左右両側端部に形成される凹凸により形成されるものであってもよいし、差込部１２の表面及び裏面に形成される窪みにより形成されるものであってもよい。
【００４３】
キーヘッドカバー３０は、例えば樹脂材料から形成されるもので、ケース本体３１と、突出部３５とを備えて構成してある。
【００４４】
ケース本体３１は、第１板材３１ａと第２板材３１ｂとを互いの間に収納空間を画成するよう表裏一体に接合させることで構成した略平板状の形態を成すものである。ここで第１板材３１ａ及び第２板材３１ｂは、ともに角部が湾曲した矩形状の形態を成すものである。
【００４５】
このようなケース本体３１は、先端部３１１に鍵１０を収納している。より詳細に説明すると、ケース本体３１の先端面の略中央から右端面の先端側にかけて開口３２が形成してあり、かかる開口３２を通じて差込部１２を外部に露出させるよう先端部３１１に鍵１０のキーヘッド１１を収納している。この際、第１板材３１ａ及び第２板材３１ｂのいずれか一方に形成された突部３３がキーヘッド１１に形成された挿通孔１１ａを挿通している。これにより鍵１０は、差込部１２の左側端部がケース本体３１の先端面の開口縁部３２ａに当接するまでと、差込部１２の右側縁部がケース本体３１の右端面の開口縁部３２ｂに当接するまでとの間で回動自在となっている。つまり、ケース本体３１は、鍵１０が回動自在となるようキーヘッド１１を収納している。
【００４６】
また、かかるケース本体３１の基端部３１２には、貫通孔（孔部）３４が形成してある。かかる貫通孔３４は、ケース本体３１の収納空間に連通しないで形成してあり、手指等に代表される指の挿入を許容する径を有している。ここで貫通孔３４の径は、最小幅が１５ｍｍ以上となることが指の挿入を確実に行い得る観点から好ましく、より好ましくは２０ｍｍ程度とされている。
【００４７】
突出部３５は、ケース本体３１の正面（第１板材３１ａの表面）及び裏面（第２板材３１ｂの表面）にそれぞれ形成してある。これら突出部３５は、ケース本体３１の正面及び裏面において、先端部３１１から中央部３１３に至る領域に形成してあり、先端部３１１から基端部３１２に向かうに連れて該ケース本体３１の表面若しくは裏面から漸次離隔するよう傾斜する傾斜面３５ｂを有しており、この傾斜面３５ｂの傾斜縁部が頂部３５ａとなる。これら突出部３５は、その頂部３５ａが装置全体の重心よりもケース本体３１の基端部３１２側に位置するよう形成してある。尚、本実施の形態の場合、鍵１０が金属材料から構成され、かつケース本体３１が樹脂材料から構成されており、しかもケース本体３１の全長がそれほど大きくないので、装置全体の重心は鍵１０の重心に略一致している。また、突出部３５の突出高さは、後述するように、錠装置が地面等の平滑な面に載置された場合に、該平滑面（載置面）Ｇ（図９参照）と、貫通孔３４の形成部位である基端部３１２との間に指の進入を許容する間隙（例えば１５ｍｍ以上の間隙）Ｓを形成するのに十分な大きさを有している。
【００４８】
以上説明したような構成を有する錠装置は、キーヘッドカバー３０の突出部３５が、頂部３５ａが装置全体の重心よりもケース本体３１の基端部３１２側に位置するよう形成してあり、かつケース本体３１の先端部３１１から基端部３１２に向かうに連れて該ケース本体３１の表面若しくは裏面から漸次離隔するよう傾斜する傾斜面３５ｂを有しているので、例えば地面等の平滑面Ｇに落下させてしまった場合、図９に示すように、貫通孔３４の形成部位であるケース本体３１の基端部３１２を平滑面Ｇから離隔した状態で載置させることができる。しかも、該突出部３５の突出高さは、上述したような大きさを有しているので、上記錠装置は、該基端部３１２と平滑面Ｇとの間に指の進入を許容する間隙Ｓを形成することができる。
【００４９】
これにより、手足の不自由な身障者等にとっても、自身の指を上記間隙Ｓに進入させた後に上記貫通孔３４に挿入させることで該錠装置を持つことが可能になる。つまり、上記錠装置は、指で錠装置を掴んで拾うという動作から、指を貫通孔３４に挿入させて指先を掛けることで錠装置を拾うという動作にしたものであり、これにより、落下させてしまった場合にも容易に拾うことができる。
【００５０】
そして、本実施の形態である錠装置は、ケース本体３１が、鍵１０が回動自在となるようキーヘッド１１を収納しているので、次のようにして対象となる錠装置の施解錠動作を行うことができる。
【００５１】
図には明示しないが、貫通孔３４に手指を挿入して保持する錠装置の鍵１０の差込部１２を錠装置の鍵穴に差し込み、鍵１０に対してケース本体３１（キーヘッドカバー３０）を相対的に回動させる。その後、ケース本体３１（キーヘッドカバー３０）を時計回りの方向に回動させることで上記錠装置を施錠、あるいは解錠することができる。
【００５２】
このように錠装置のケース本体３１が、鍵１０が回動自在となるようキーヘッド１１を収納していることで、錠装置を挟持することなく貫通孔３４に手指を挿入させて指先に引っ掛けた状態で錠装置の施解錠動作を行うことができ、手足の不自由な身障者や高齢者等の特定の利用者だけでなく、全ての利用者にとって施解錠動作を簡単なものとすることができる。
【００５３】
＜実施の形態３＞
図１０及び図１１は、それぞれ本発明の実施の形態３である錠装置を示すもので、図１０は正面図、図１１は錠装置を右から見た場合を示す右側面図である。ここで例示する錠装置は、鍵１０とキーヘッドカバー４０とを備えて構成してある。
【００５４】
鍵１０は、例えば金属材料から形成されるもので、キーヘッド１１と差込部１２とを有している。キーヘッド１１は、略円形状を成す平板状部材であり、鍵１０を挟持するためのものである。
【００５５】
差込部１２は、キーヘッド１１の縁端部より外方に向けて延在する長尺平板状部位であり、キー山が形成されるものである。ここで差込部１２に形成されるキー山は、図には明示していないが、差込部１２の左右両側端部に形成される凹凸により形成されるものであってもよいし、差込部１２の表面及び裏面に形成される窪みにより形成されるものであってもよい。
【００５６】
キーヘッドカバー４０は、例えば樹脂材料から形成されるもので、ケース本体４１を備えて構成してある。
【００５７】
ケース本体４１は、第１板材４１ａと第２板材４１ｂとを互いの間に収納空間を画成するよう表裏一体に接合させることで構成した略平板状の形態を成すものである。ここで第１板材４１ａ及び第２板材４１ｂは、ともに角部が湾曲した矩形状の形態を成すものである。
【００５８】
このようなケース本体４１は、先端部４１１に鍵１０を収納している。より詳細に説明すると、ケース本体４１の先端面の略中央から右端面の先端側にかけて開口４２が形成してあり、かかる開口４２を通じて差込部１２を外部に露出させるよう先端部４１１に鍵１０のキーヘッド１１を収納している。この際、第１板材４１ａ及び第２板材４１ｂのいずれか一方に形成された突部４３がキーヘッド１１に形成された挿通孔１１ａを挿通している。これにより鍵１０は、差込部１２の左側端部がケース本体４１の先端面の開口縁部４２ａに当接するまでと、差込部１２の右側縁部がケース本体４１の右端面の開口縁部４２ｂに当接するまでとの間で回動自在となっている。つまり、ケース本体４１は、鍵１０が回動自在となるようキーヘッド１１を収納している。
【００５９】
また、かかるケース本体４１の基端部４１２には、貫通孔（孔部）４４が形成してある。かかる貫通孔４４は、ケース本体４１の収納空間に連通しないで形成してあり、手指等に代表される指の挿入を許容する径を有している。ここで貫通孔４４の径は、最小幅が１５ｍｍ以上となることが指の挿入を確実に行い得る観点から好ましく、より好ましくは２０ｍｍ程度とされている。
【００６０】
更に、上記ケース本体４１は、装置全体の重心よりも該ケース本体４１の基端部４１２側となる中央領域４１３において表面側に屈曲して形成してある。この中央領域４１３の屈曲角は、後述するように、錠装置が地面等の平滑な面に載置された場合に、該平滑面（載置面）Ｇ（図１２参照）と、貫通孔４４の形成部位である基端部４１２との間に指の進入を許容する間隙（例えば１５ｍｍ以上の間隙）Ｓを形成するのに十分な大きさを有している。
【００６１】
以上説明したような構成を有する錠装置は、キーヘッドカバー４０のケース本体４１が、装置全体の重心よりも該ケース本体４１の基端部４１２側となる中央領域４１３において表面側に屈曲して形成してあるので、例えば地面等の平滑面Ｇに落下させてしまった場合、図１２に示すように、貫通孔４４の形成部位であるケース本体４１の基端部４１２を平滑面Ｇから離隔した状態で載置させることができる。しかも、該屈曲角は、上述したような大きさを有しているので、上記錠装置は、該基端部４１２と平滑面Ｇとの間に指の進入を許容する間隙Ｓを形成することができる。
【００６２】
これにより、手足の不自由な身障者等にとっても、自身の指を上記間隙Ｓに進入させた後に上記貫通孔４４に挿入させることで該錠装置を持つことが可能になる。つまり、上記錠装置は、指で錠装置を掴んで拾うという動作から、指を貫通孔４４に挿入させて指先を掛けることで錠装置を拾うという動作にしたものであり、これにより、落下させてしまった場合にも容易に拾うことができる。
【００６３】
そして、本実施の形態である錠装置は、ケース本体４１が、鍵１０が回動自在となるようキーヘッド１１を収納しているので、次のようにして対象となる錠装置の施解錠動作を行うことができる。
【００６４】
図には明示しないが、貫通孔４４に手指を挿入して保持する錠装置の鍵１０の差込部１２を錠装置の鍵穴に差し込み、鍵１０に対してケース本体４１（キーヘッドカバー４０）を相対的に回動させる。その後、ケース本体４１（キーヘッドカバー４０）を時計回りの方向に回動させることで上記錠装置を施錠、あるいは解錠することができる。
【００６５】
このように錠装置のケース本体４１が、鍵１０が回動自在となるようキーヘッド１１を収納していることで、錠装置を挟持することなく貫通孔４４に手指を挿入させて指先に引っ掛けた状態で錠装置の施解錠動作を行うことができ、手足の不自由な身障者や高齢者等の特定の利用者だけでなく、全ての利用者にとって施解錠動作を簡単なものとすることができる。
【００６６】
以上、本発明の好適な実施の形態１〜３について説明したが、本発明はこれらに限定されるものではなく、種々の変更を行うことができる。
【００６７】
上述した実施の形態３では、ケース本体４１は、その中央領域４１３において表面側に屈曲するものであったが、本発明においては、ケース本体がその中央領域において裏面側に屈曲するものであってもよい。
【００６８】
上述した実施の形態１及び２では、ケース本体２１，３１に対して突出部２５，３５を設けることにより該ケース本体２１，３１の基端部２１２，３１２と平滑面Ｇとの間に指の進入を許容する間隙Ｓを形成するようにし、実施の形態３では、ケース本体４１をその中央領域４１３で表面側に屈曲させることにより該ケース本体４１の基端部４１２と平滑面Ｇとの間に指の進入を許容する間隙Ｓを形成するようにしていたが、本発明は、これら３つの形態に限られるものでなく、ケース本体自体の形状等に工夫を施すことで上記間隙を形成するようにしてもよい。
【符号の説明】
【００６９】
１０  鍵
１１  キーヘッド
１２  差込部
２０  キーヘッドカバー
２１  ケース本体
２１ａ  第１板材
２１ｂ  第２板材
２１１  先端部
２１２  基端部
２１３  中央部
２４  貫通孔
２５  突出部
２５ａ  頂部
３０  キーヘッドカバー
３１  ケース本体
３１ａ  第１板材
３１ｂ  第２板材
３１１  先端部
３１２  基端部
３１３  中央部
３４  貫通孔
３５  突出部
３５ａ  頂部
３５ｂ  傾斜面
４０  キーヘッドカバー
４１  ケース本体
４１ａ  第１板材
４１ｂ  第２板材
４１１  先端部
４１２  基端部
４１３  中央領域
４４  貫通孔
Ｓ  間隙
【図１】
2015067999.tif 000003
【図２】
2015067999.tif 000004
【図３】
2015067999.tif 000005
【図４】
2015067999.tif 000006
【図５】
2015067999.tif 000007
【図６】
2015067999.tif 000008
【図７】
2015067999.tif 000009
【図８】
2015067999.tif 000010
【図９】
2015067999.tif 000011
【図１０】
2015067999.tif 000012
【図１１】
2015067999.tif 000013
【図１２】
2015067999.tif 000014